(57)【特許請求の範囲】
【請求項１】
帯状の鋼板（２１）を略角筒状に折り曲げ加工してなる天井野縁（２０）であって、その上面（２２）において前記鋼板（２１）の長手方向に沿った端部同士をカシメ接合するとともに、両側面（２３）（２３）において断面略楔状とした１列の野縁支持具係止用の横溝部（２４）（２４）を夫々形成したことを特徴とする天井野縁。
【請求項２】
前記両側面（２３）（２３）の上部に前記横溝部（２４）（２４）を夫々形成して、前記両側面（２３）（２３）の前記横溝部（２４）（２４）よりも下側を平坦な垂直面とした請求項１記載の天井野縁。
【発明の詳細な説明】
【技術分野】
【０００１】
この発明は、天井下地材として用いられる鋼製の天井野縁に関する。
【背景技術】
【０００２】
図５及び図６は、天井の構造を示しており、Ｈ型鋼からなる床梁１に吊り下げ具２を介して天井下地材３を吊り下げ支持して、その天井下地材３に天井板４を張り付けることによって構成されている。吊り下げ具２は、床梁１の下部フランジ５に係合する係合金具６と、この係合金具６から垂下した吊りボルト７からなる。天井下地材３は、互いに平行に配された複数の野縁受け８・・と、これら野縁受け８・・に対して直交するようにして互いに平行に配された野縁９・・とを、野縁支持具１０・・を介して格子状に組み付けてなる。そして、吊りボルト７の下端部が野縁受け８に固定されて、天井下地材３が床梁１に吊り下げ支持されている。また、天井下地材３の野縁９・・の下面に跨って、天井板４がビス止めされている。
【０００３】
このような天井の天井下地材３として用いられる一般的な構造の野縁９は、図７に示すように、帯状の鋼板１１を略角筒状に折り曲げ加工してなり、その一方の側面１２の略中央において鋼板１１の長手方向に沿った端部同士をカシメ接合してなるカシメ部分１３を有するとともに、両側面１２、１２において互いに平行な２列の横溝部１４、１４が夫々形成されている。そして、図８に示すように、野縁受け８に係合した野縁支持具１０を、野縁９に上方から被せて、野縁支持具１０の一対の係止爪１５、１５を野縁９の上側の横溝部１４、１４に係止させることで、野縁受け８に対して野縁９が取り付けられている。
【０００４】
また、別の構造の野縁として、例えば特許文献１に開示されているように、帯状の鋼板を略角筒状に折り曲げ加工してなり、その一方の側面の略中央において鋼板の長手方向に沿った端部同士をカシメ接合してなるカシメ部分を有するとともに、両側面において１列の幅広の横溝部を夫々形成したものもある。
【０００５】
【特許文献１】特開平６−２４８７５１号公報
【発明の開示】
【発明が解決しようとする課題】
【０００６】
天井の施工に際しては、野縁の下面に天井板をビス止めすることから、野縁の下面がビス打ち面となることがほとんどであるが、例えば図５に示すように、内壁４０に沿って配置する野縁９では、その側面をビス打ち面として内壁４０にビス４１・・止めすることがある。
【０００７】
ところが、上述した一般的な構造の野縁や別の構造の野縁においては、一方の側面の略中央に厚肉で強固なカシメ部分が存在しており、この側面をビス打ち面として内壁にビス止めする場合には、カシメ部分を回避してビスを打ち込む必要があり、側面におけるビス打ち可能範囲が狭くて、施工性が悪いといった不具合があった。
【０００８】
また、野縁においては、上下方向に撓み難い曲げ強度が要求されるが、曲げ抵抗となるカシメ部分が一方の側面に存在しているので、上下方向の曲げに対してカシメ部分の抵抗力を十分に発揮させることができず、上下方向の曲げ強度を効果的に高めることが困難であった。
【０００９】
さらに、上述した一般的な構造の野縁では、横溝部が合計４列形成されていて、鋼板の折曲箇所が多くなっていることから、それだけ幅広の鋼板を使用して加工する必要があり、鋼板の使用量が多くなって、材料費が嵩むといった不具合があった。
【００１０】
一方、別の構造の野縁では、横溝部が合計２列形成されているだけであるから、一般的な構造の野縁と比べて、鋼板の使用量を抑えることができるが、各横溝部が大きな表面積を必要とする断面略コ字状となっているので、鋼板の使用量の低減にあたって未だ改良の余地があった。
【００１１】
この発明は、上記の不具合を解消して、側面におけるビス打ち可能範囲を拡大して施工性の向上を図ることができ、しかも上下方向の曲げ強度を効果的に高めることができ、さらに材料費の削減を実現することができる天井野縁を提供することを目的とする。
【課題を解決するための手段】
【００１２】
上記課題を解決するため、この発明の天井野縁２０は、帯状の鋼板２１を略角筒状に折り曲げ加工してなるものであって、その上面２２において前記鋼板２１の長手方向に沿った端部同士をカシメ接合するとともに、両側面２３、２３において断面略楔状とした１列の野縁支持具係止用の横溝部２４、２４を夫々形成したことを特徴とする。
【００１３】
具体的には、前記両側面２３、２３の上部に前記横溝部２４、２４を夫々形成して、前記両側面２３、２３の前記横溝部２４、２４よりも下側を平坦な垂直面としている。
【発明の効果】
【００１４】
この発明の天井野縁では、厚肉で強固なカシメ部分を上面に設けていることから、両側面においてビス打ちの邪魔になるカシメ部分が存在せず、これにより両側面におけるビス打ち可能範囲を拡大して、内壁等への側面からのビス止めに際しての施工性を向上することができる。しかも、上下方向の曲げに対してカシメ部分の抵抗力を十分に発揮させることができ、上下方向の曲げ強度を効果的に高めることができる。
【００１５】
しかも、横溝部が両側面において合計２列形成されているだけであるから、合計４列の横溝部を形成したものと比べて、鋼板の折曲箇所が少なくなり、それだけ幅狭の鋼板を使用して加工することができる。これにより、鋼板の使用量を減らして、材料費を削減することができる。
【００１６】
また、両側面の上部に横溝部を形成して、両側面の横溝部よりも下側を平坦な垂直面としていることから、凹凸のある横溝部よりもビスの打ち込みが容易な垂直面を広範囲に亘って連続して確保することができ、施工性のより一層の向上を図ることができる。
【００１７】
さらに、横溝部を断面略楔状に形成しているので、断面略コ字状のものと比べて、鋼板の折曲箇所を減らして横溝部の表面積を小さく抑えることができ、これにより鋼板の使用量をより一層減らして、材料費の削減を図ることができる。
【発明を実施するための最良の形態】
【００１８】
以下、この発明の実施形態を図面に基づいて詳細に説明する。図１は、この発明の一実施形態に係る天井野縁２０の断面構造を示している。この天井野縁２０は、帯状の鋼板２１を略角筒状に折り曲げ加工してなり、その上面２２において鋼板２１の長手方向に沿った端部同士をカシメ接合してなるカシメ部分２５を有するとともに、上面２２を挟んだ両側面２３、２３において１列の横溝部２４、２４が夫々形成されている。
【００１９】
カシメ部分２５は、鋼板２１の長手方向に沿った両端部を略Ｕ字状に折り返して、これら端部同士を互いに係合させながら圧接することによって形成されており、天井野縁２０の上面２２の幅方向略中央において野縁全長に亘って配されている。
【００２０】
各横溝部２４は、側面２３から内方向に向かって水平に延びる水平面３０と、この水平面３０の内側先端から外方向へ向かって斜め下方へ延びる傾斜面３１とを有する断面略楔状とされて、天井野縁２０の側面２３の上部において野縁全長に亘って形成されている。そして、天井野縁２０の両側面２３、２３における横溝部２４、２４よりも下側は、平坦な垂直面となっている。
【００２１】
このように、上記の天井野縁２０においては、その上面２２に厚肉で強固なカシメ部分２５が設けられているので、上下方向の曲げに対してカシメ部分２５を効果的に抵抗させることができ、上下方向の曲げ強度を高めることができる。しかも、両側面２３、２３においてビス打ちの邪魔になるカシメ部分２５が存在せず、両側面２３、２３の略全面がビス打ち可能範囲となっている。
【００２２】
また、横溝部２４、２４が合計２列形成されているだけであるから、合計４列の横溝部を形成したものと比べて、鋼板２１の折曲箇所が少なくなり、それだけ幅狭の鋼板２１を使用して加工することができ、鋼板２１の使用量を減らすことができる。しかも、各横溝部２４は、断面略楔状に形成されていることから、断面略コ字状のものと比べて、表面積を小さく抑えることができ、鋼板２１の使用量をより一層減らすことができる。
【００２３】
図２及び図３は、上記構成の天井野縁２０を用いた天井の構造を示しており、野縁構造が異なる以外は従来の天井と同様に構成されている。すなわち、Ｈ型鋼からなる床梁１に吊り下げ具２を介して天井下地材３を吊り下げ支持して、その天井下地材３に天井板４を張り付けることによって構成されている。
【００２４】
吊り下げ具２は、床梁１の下部フランジ５に係合する係合金具６と、この係合金具６から垂下した吊りボルト７からなる。天井下地材３は、互いに平行に配された複数の野縁受け８・・と、これら野縁受け８・・に対して直交するようにして互いに平行に配された上記の天井野縁２０・・とを、野縁支持具１０・・を介して格子状に組み付けてなる。
【００２５】
この組み付けに際しては、図３及び図４に示すように、野縁受け８に係合した野縁支持具１０を、天井野縁２０に上方から被せて、野縁支持具１０の一対の係止爪１５、１５を天井野縁２０の横溝部２４、２４に係止させることで、野縁受け８に対して天井野縁２０を取り付けるようにしている。従って、従来の野縁を使用した場合と全く同じ方法で、野縁受け８・・と天井野縁２０・・とが組み付けられている。そして、吊りボルト７の下端部が野縁受け８に固定されて、天井下地材３が床梁１に吊り下げ支持されている。また、天井野縁２０・・の下面に跨って、天井板４がビス止めされている。
【００２６】
このように構成された天井において、内壁４０に沿って配置した天井野縁２０については、その側面２３、２３をビス打ち面として内壁４０にビス４１・・止めしている。このとき、天井野縁２０の両側面２３、２３の略全面がビス打ち可能範囲となっているので、内壁４０の状況に応じてビス４１・・の打ち込みを柔軟に行うことができ、施工性を向上することができる。
【００２７】
なお、この発明は、上記実施形態に限定されるものではなく、この発明の範囲内で上記実施形態に多くの修正及び変更を加え得ることは勿論である。
【図面の簡単な説明】
【００２８】
【図１】この発明の一実施形態に係る天井野縁の縦断面図である。
【図２】天井野縁を用いた天井の構造を部分的に示す斜視図である。
【図３】同じくその縦断面図である。
【図４】野縁受けと天井野縁との組み付け状態を示す縦断面図である。
【図５】従来の天井の構造を部分的に示す斜視図である。
【図６】同じくその縦断面図である。
【図７】従来の天井野縁の縦断面図である。
【図８】従来の野縁受けと天井野縁との組み付け状態を示す縦断面図である。
【符号の説明】
【００２９】
２０・・天井野縁、２１・・鋼板、２２・・上面、２３・・側面、２４・・横溝部、２５・・カシメ部分
【図１】
0004822217.tif 000002
【図２】
0004822217.tif 000003
【図３】
0004822217.tif 000004
【図４】
0004822217.tif 000005
【図５】
0004822217.tif 000006
【図６】
0004822217.tif 000007
【図７】
0004822217.tif 000008
【図８】
0004822217.tif 000009